(57)【要約】【課題】      インターネット電話モジュールと従来の電話とを結合することによって形成され、ボイスオーバーインターネットプロトコル（ＶＯＩＰ）と公衆交換電話網（ＰＳＴＮ）の通信サービスに使用される複合インターネット電話装置を提供する。【解決手段】  本発明の複合インターネット電話装置３０は、被呼側と発呼側のネットワークまたはインターネット電話の電源部３１３の電力供給条件に応じて、スイッチング部３３０によってボイスオーバーインターネットプロトコル（ＶＯＩＰ）１１及び公衆交換電話網（ＰＳＴＮ）１２のいずれかに選択的にスイッチングされるものとしている。【選択図】    図３
2008072459.tif 000002
【特許請求の範囲】
【請求項１】
ボイスオーバーインターネットプロトコル（ＶＯＩＰ）と公衆交換電話網（ＰＳＴＮ）に適合する複合インターネット電話装置であって、前記複合インターネット電話装置がインターネット電話モードにおいて動作する場合に前記ＶＯＩＰに接続されるようにネットワーク通信サービスを行うインターネット電話モジュールと、前記複合インターネット電話装置が従来の電話モードにおいて動作する場合にＰＳＴＮに接続されるように通信サービスを行う従来の電話モジュールと、前記複合インターネット電話装置を前記従来の電話モードまたは前記インターネット電話モードに選択的にスイッチングするように、前記インターネット電話モジュール及び前記従来の電話モジュールに接続されたスイッチング部と、前記従来の電話モード及び前記インターネット電話モード間の通信を分離するように、前記インターネット電話モジュール及び前記従来の電話モジュールに接続され、前記通信の安全性を確保する分離部と、前記インターネット電話モジュール及び前記従来の電話モジュールに電力を提供するように、前記インターネット電話モジュール上に配置された、インターネット電話の電源部を備えてなり、前記インターネット電話の電源部の電力が不充分になるか断絶された場合、前記スイッチング部は、前記インターネット電話モードから従来の電話モードにスイッチングする複合インターネット電話装置。
【請求項２】
呼を受信及び送信する受話器をさらに備えることを特徴とする請求項１に記載の複合インターネット電話装置。
【請求項３】
番号をダイアリングするためのキーパッドをさらに備えることを特徴とする請求項１に記載の複合インターネット電話装置。
【請求項４】
前記スイッチング部は、手動スイッチング機能を備えることを特徴とする請求項１に記載の複合インターネット電話装置。
【請求項５】
前記スイッチング部は、自動スイッチング機能を備えることを特徴とする請求項１に記載の複合インターネット電話装置。
【発明の詳細な説明】
【技術分野】
【０００１】
本発明は、電話装置に係り、特に、公衆交換電話網（ＰＳＴＮ：Public Switched Telephone Network）及びボイスオーバーインターネットプロトコル（ＶＯＩＰ：Voice over Internet Protocol）に適合する電話装置に関する。
【背景技術】
【０００２】
ＶＯＩＰは、オープンネットワーク（open network）を用いて音声／映像を転送し、パケット形態の信号を通じて通信サービスを提供するプロトコルで、インターネットを介した情報転送のように通話料を多く節約できる。しかしながら、インターネット電話は、インターネットの多いファクターによって制限されるため、通信の品質が比較的不安定であり、その結果、不明確な信号または断線といった問題を招く。
【０００３】
従来の電話は、一般に、日常の電話通信に使用されてきたもので、アナログ電話セットは、通信サービスを提供する公衆交換電話網（ＰＳＴＮ）に結合される。従来の電話は、通話料は高いが、インターネット電話のようにインターネットのファクターによって制限されない。なお、従来の電話は、電源障害に影響を受けない他、電源障害時にも使用可能である。したがって、インターネット電話の普及が漸増してはいるものの、使用者の実際要求事項を充足させるには、インターネット電話の応用は実際的に従来の電話によって支援されなければならない。
【０００４】
ＰＳＴＮを有する従来の複合インターネット電話装置の概略図を、図１に示す。図１を参照すると、複合インターネット電話装置１０は、インターネット電話システム１０１、フック回路１０２、キーパッド１０３、受話器１０４及び外貨交換所（ＦＸＯ：foreign change office）１０５を備える。
【０００５】
複合インターネット電話装置１０は、インターネット電話システム１０１を介してＶＯＩＰ１１に接続され、ＦＸＯ１０５を介してＰＳＴＮ１２に接続される。使用者が従来のように電話番号をダイアリングすることによって、複合インターネット電話装置１０を介してインターネット電話をダイアリングしようとする場合は、使用者は、受話器を取ってフック回路１０２をトリガーし、キーパッド１０３を介して番号をダイアリングする。
【０００６】
インターネット電話システム１０１は、ダイアリング内容または特に定義されたキーによって、ＶＯＩＰ１１にダイアリングするか、または、ＰＳＴＮ１２にダイアリングするかを決定する。ＶＯＩＰ１１にダイアリングすると、電話番号がインターネット電話システム１０１を介してＶＯＩＰ１１に入力され、通信宛先に接続される。一方、ＰＳＴＮ１２にダイアリングすると、複合インターネット電話装置１０は、ＰＳＴＮ１２との電気通信ループを形成し、キーパッド１０３を介して電話番号がダイアリングされ、電話番号がインターネット電話システム１０１及びＦＸＯ１０５を介してＰＳＴＮ１２に入力され、通信宛先に接続される。このため、インターネット電話システム１０１において電源が全部消耗される、または、電源障害が起きると、インターネット電話システム１０１を介してＰＳＴＮ１２に接続されることが不可能になる問題につながる。
【０００７】
従来の電話を有する従来の複合インターネット電話装置の概略図を、図２に示す。図２を参照すると、複合インターネット電話装置２０は、インターネット電話システム２０１、ＦＸＯ２０２、外貨交換局（ＦＸＳ：foreign exchange station）２０３を備える。
【０００８】
複合インターネット電話装置２０は、インターネット電話システム２０１を介してＶＯＩＰ１１に接続され、ＦＸＯ２０２を介してＰＳＴＮ１２に接続され、ＦＸＳ２０３を介して従来の電話装置２１に接続される。
【０００９】
従来の電話装置２１は、従来の電話システム２１１、フック回路２１２、キーパッド２１３及び受話器２１４を備える。従来の電話装置２１は、例えば、ＰＳＴＮ１２にダイアリングする従来の電話と同じ機能を有する。従来の電話装置２１は、ＦＸＳ２０３を介してインターネット電話装置２０に接続され、従来の電話装置２１が、インターネット電話システム２０１のＦＸＯ２０２を介してＰＳＴＮ１２に接続され、ＦＸＳ２０３を介してＶＯＩＰ１１で接続される。
【００１０】
図面の如く、従来の技術は、スイッチング部２２をさらに備える。該スイッチング部２２は、従来の電話装置２１をＰＳＴＮ１２に接続する機能を担うもので、さらにはインターネット電話装置２０のＦＸＯ２０２及びＦＸＳ２０３に接続される。したがって、インターネット電話装置２０を、不充分な電源または電源障害によって、従来の電話装置２１をＰＳＴＮ１２に接続するのに使用することができないと、スイッチング部２２は、従来の電話装置２１の外部接続にスイッチングし、このスイッチング部２２によって従来の電話装置２１は、ＰＳＴＮ１２に接続され、該ＰＳＴＮ１２から電力を受けるようになる。
【００１１】
このような従来技術によれば、インターネット電話の統合時に電源スイッチングの問題を解決することが可能になる。しかしながら、インターネット電話装置２０、従来の電話装置２１及びスイッチング部２２はそれぞれ分離している装置であり、これらの装置を統合し使用する時には、これらの装置を互いに接続させなければならず、使用者に不便を与えるという問題があった。
【発明の開示】
【発明が解決しようとする課題】
【００１２】
本発明は上記の問題点を解決するためのもので、その目的は、インターネット電話装置を従来の電話装置と結合することによって形成され、各構成要素が単一フレーム内に集積された複合インターネット電話装置を提供することにある。
【課題を解決するための手段】
【００１３】
本発明の複合インターネット電話は、ボイスオーバーインターネットプロトコル（ＶＯＩＰ）と公衆交換電話網（ＰＳＴＮ）に適合する複合インターネット電話装置であって、前記複合インターネット電話装置がインターネット電話モードにおいて動作する場合に前記ＶＯＩＰに接続されるようにネットワーク通信サービスを行うインターネット電話モジュールと、前記複合インターネット電話装置が従来の電話モードにおいて動作する場合にＰＳＴＮに接続されるように通信サービスを行う従来の電話モジュールと、前記複合インターネット電話装置を前記従来の電話モードまたは前記インターネット電話モードに選択的にスイッチングするように、前記インターネット電話モジュール及び前記従来の電話モジュールに接続されたスイッチング部と、前記従来の電話モード及び前記インターネット電話モード間の通信を分離するように、前記インターネット電話モジュール及び前記従来の電話モジュールに接続され、前記通信の安全性を確保する分離部と、前記インターネット電話モジュール及び前記従来の電話モジュールに電力を提供するように、前記インターネット電話モジュール上に配置された、インターネット電話の電源部を備えてなり、前記インターネット電話の電源部の電力が不充分になるか断絶された場合、前記スイッチング部は、前記インターネット電話モードから従来の電話モードにスイッチングするものとしている。
【００１４】
本発明の複合インターネット電話は、呼を受信及び送信する受話器をさらに備えるものとしている。
【００１５】
本発明の複合インターネット電話は、番号をダイアリングするためのキーパッドをさらに備えるものとしている。
【００１６】
本発明の複合インターネット電話は、前記スイッチング部に、手動スイッチング機能を備えるものとしている。
【００１７】
本発明の複合インターネット電話は、前記スイッチング部に、自動スイッチング機能を備えるものとしている。
【発明の効果】
【００１８】
本発明の複合インターネット電話は、ボイスオーバーインターネットプロトコル（ＶＯＩＰ）電話網と公衆交換電話網（ＰＳＴＮ）を介して番号をダイアリングするキーパッドを用い、従来の電話の既存ＦＸＯを介してＰＳＴＮに接続されるか、インターネット電話システムを介してＶＯＩＰ電話網に接続され、スイッチング部を用いてインターネット電話モードと従来の電話モード間のスイッチングを行い、分離部を用いてインターネット電話装置と従来の電話装置とを分離して通信の安全性を確保する。
【発明を実施するための最良の形態】
【００１９】
以下、本発明の複合インターネット電話の好適な実施例について、添付の図面を参照しつつ詳細に説明する。ただし、下記の実施例は、当該技術分野における通常の知識を持つ者が充分に、本発明の技術的内容を認識し、本発明を具現化できるように示すものである。下記の説明及び図面に基づき、本技術分野における通常の知識を持つ者は、本発明の目的と利点を容易に理解することができる。
【００２０】
本発明による、従来の電話を有する複合インターネット電話装置の概略図を、図３に示す。図３を参照すると、複合インターネット電話装置３０は、ＶＯＩＰ１１及びＰＳＴＮ１２に接続され、また、インターネット電話モジュール３１０、従来の電話モジュール３００、受話器３２０、スイッチング部３３０及び分離部３４０を備える。
【００２１】
インターネット電話モジュール３１０は、従来のインターネット電話と同じ機能を有し、例えば、インターネット電話モードにおいて動作する際には、ＶＯＩＰ１１を介してネットワーク通信サービスを行う。インターネット電話モジュール３１０は、音声をエンコーディングまたはデコーディングする音声エンコーダ／デコーダ３１１、インターネット電話システム３１２、及びインターネット電話モジュール３１０及び従来の電話モジュール３００に電力を供給するインターネット電話の電源部３１３を備える。
【００２２】
従来の電話モジュール３００は、従来の電話と同じ機能を有するもので、従来の電話モードにおいて動作する際に、ＰＳＴＮ１２を介して通信サービスを行う。従来の電話モジュール３００は、従来の電話システム３０１、従来の電話モジュール３００をトリガーしてＰＳＴＮ１２と電気通信ループを形成するフック回路３０２、及びキーパッド３０３を備える。
【００２３】
受話器３２０は、スイッチング部３３０に接続され、この装置に対して音声を受信または送信する要素として働く。受話器３２０がスイッチング部３３０によってＶＯＩＰ１１またはＰＳＴＮ１２にスイッチングされることによって、使用者は、受話器３２０を介して通信宛先と呼（call）をやりとりする。
【００２４】
スイッチング部３３０は、従来の電話モジュール３００及びインターネット電話モジュール３１０に接続され、受話器３２０をインターネット電話モジュール３１０内の音声エンコーダ／デコーダ３１１または従来の電話モジュール３００の従来の電話システム３０１に選択的に接続させる機能を担う。
【００２５】
分離部３４０は、従来の電話モジュール３００及びインターネット電話モジュール３１０に接続され、通信の安全性を確保すべく、従来の電話モードとインターネット電話モード間の通信を分離する機能を担う。分離部３４０は、従来の電話システム３０１からインターネット電話システム３１２を分離するのに使用される。
【００２６】
通信モードが従来の電話モードにあり、使用者がインターネット電話をダイアリングしようとする場合、使用者は、インターネット電話システム３１２を用いてスイッチング部３３０を駆動したりトリガーしたりしてインターネット電話モードにスイッチングする。このときに、スイッチング部３３０は手動使用される。その後、キーパッド３０３によって番号をダイアリングし、該ダイアリングされた番号は、従来の電話システム３０１から分離部３４０を介してインターネット電話システム３１２に転送され、ＶＯＩＰ１１に接続される。ＶＯＩＰ１１が着信呼を受けると、インターネット電話システム３１２は発信番号を受信した後、スイッチング部３３０を駆動したりトリガーしてインターネット電話モードに自動スイッチングし、これにより、使用者は、受話器３２０を介して呼を受信または送信することになる。しかしながら、インターネット電話モジュール３１０のインターネット電話電源部３１３の電源が不充分になるか切れると、スイッチング部３３０は、従来の電話モードに自動に切り替え、従来の電話モジュール３００が通信サービスに使用されるようにする。
【００２７】
一方、通信モードがインターネット電話モードにあり、使用者が従来の電話をダイアリングしようとする場合は、使用者は、インターネット電話システム３１２を用いてスイッチング部３３０を駆動したりトリガーしたりして従来の電話モードにスイッチングし、以降、ＰＳＴＮ１２と共にループが形成される。このときに、スイッチング部３３０は手動使用される。続いて、使用者がキーパッド３０３を介して番号をダイアリングし、この発信番号が従来の電話システム３０１で受信され、ＰＳＴＮ１２に接続される。ＰＳＴＮ１２が着信呼を受け取ると、従来の電話システム３０１は発信番号を受信し、これを分離部３４０を介してインターネット電話システム３１２に通報する。すると、インターネット電話システム３１２は、従来の電話モードへの自動スイッチングのためにスイッチング部３３０を駆動したりトリガーし、これにより、使用者は受話器３２０を介して呼を受信または送信するようになる。
【００２８】
以上では具体的な実施例に挙げて本発明を説明してきたが、本発明は、本発明の思想と範囲内で様々に変更可能であり、これら変形もまた、添付の特許請求の範囲に含まれるということは、当該技術分野における通常の知識を持つ者にとっては明らかである。
【図面の簡単な説明】
【００２９】
【図１】ＰＳＴＮを有する従来の複合インターネット電話装置を示す概略図である。
【図２】従来の電話を有する従来の複合インターネット電話装置を示す概略図である。
【図３】本発明による、従来の電話を有する複合インターネット電話装置を示す概略図である。
【符号の説明】
【００３０】
１１  ボイスオーバーインターネットプロトコル（ＶＯＩＰ）
１２  公衆交換電話網（ＰＳＴＮ）
３０  複合インターネット電話装置
３００  従来の電話モジュール
３０１  従来の電話システム
３０２  フック回路
３０３  キーパッド
３１０  インターネット電話モジュール
３１１  音声エンコーダ／デコーダ
３１３  インターネット電話の電源部
３１２  インターネット電話システム
３２０  受話器
３３０  スイッチング部
【図１】
2008072459.tif 000003
【図２】
2008072459.tif 000004
【図３】
2008072459.tif 000005